(57)【要約】【課題】  操作者が足で操作を行うときに、目視による確認を必要とせず、容易に複数の放射線透視撮影動作を選択することが可能な放射線透視撮影装置用フットスイッチを提供する。【解決手段】  Ｘ線透視撮影装置用フットスイッチ１０は、ベース部５２上に配設され、操作者が足を載置可能なフットパッド部５１を備える。フットパッド部５１は水平面内において回動し、かつ、鉛直軸に対して傾動する。フットパッド部５１の下面におけるフットパッド部５１の回転中心を中心とする円上の位置には、４個のマイクロスイッチ７１、７２、７３、７４が配置されている。また、ベース部５２の上面における４個のマイクロスイッチ７１、７２、７３、７４が配設されたフットパッド部５１の回転中心を中心とする円上の位置には、一対の凸部６１、６２が配置されている。【選択図】        図３
2017029527.tif 000002
【特許請求の範囲】
【請求項１】
放射線透視撮影装置を操作するためのフットスイッチであって、
操作者が足を載置可能なフットパッド部と、
前記フットパッド部の姿勢に対応していずれかが選択されることにより、放射線透視撮影装置に対して互いに異なる複数の放射線透視撮影動作を実行させるための複数のスイッチと、
を備えたことを特徴とする放射線透視撮影装置用フットスイッチ。
【請求項２】
請求項１に記載の放射線透視撮影装置用フットスイッチにおいて、
前記フットパッド部を水平面内において回動可能に支持する回動機構と、
前記フットパッド部を鉛直軸に対して傾動可能に支持する傾動機構と、
を備え、
前記複数のスイッチは、前記回動機構による前記フットパッド部の回動方向と、前記傾動機構による前記フットパッド部の傾動方向とに対応していずれかが選択されることにより、放射線透視撮影装置に対して互いに異なる複数の放射線透視撮影動作を実行させる放射線透視撮影装置用フットスイッチ。
【請求項３】
請求項２に記載の放射線撮影装置用フットスイッチにおいて、
前記回動機構と前記傾動機構とを介して前記フットパッド部を下方より支持するベース部をさらに備え、
前記ベース部の上面には、凸部が形成されるとともに、
前記複数のスイッチは、前記フットパッド部の下面における前記フットパッド部の回動に伴って前記凸部と対向配置される位置に配設される放射線透視撮影装置用フットスイッチ。
【請求項４】
請求項１に記載の放射線透視撮影装置用フットスイッチにおいて、
前記フットパッド部を水平面内において回動可能に支持する回動機構を備え、
前記複数のスイッチは、前記回動機構による前記フットパッド部の回動方向に対応していずれかが選択されることにより、放射線透視撮影装置に対して互いに異なる複数の放射線透視撮影動作を実行させる放射線透視撮影装置用フットスイッチ。
【発明の詳細な説明】
【技術分野】
【０００１】
この発明は、Ｘ線透視撮影装置等の放射線透視撮影装置を操作するための放射線透視撮影装置用フットスイッチに関する。
【背景技術】
【０００２】
一般Ｘ線撮影やＸ線透視を実行するためのＸ線撮影装置においては、例えば、Ｘ線を曝射するためにフットスイッチが使用される。このようなＸ線撮影用フットスイッチは、互いに異なる複数のＸ線透視撮影動作を実行するための複数のスイッチ部を備えている（特許文献１および特許文献２参照）。
【０００３】
図１２は、このような従来のＸ線透視撮影装置用フットスイッチ１５の斜視図である。
【０００４】
このＸ線透視撮影装置用フットスイッチ１５は、ベース板４４を備えた本体４５と、ハンドル部４８と、ベース板４４上に配設された３個のスイッチ部４１、４２、４３とを備える。３個のスイッチ部４１、４２、４３のうち、スイッチ部４１はＸ線撮影を実行するときに押圧され、スイッチ部４２はフロンタル方向の透視を実行するときに押圧され、スイッチ部４３はラテラル方向の透視を実行するときに使用される。
【先行技術文献】
【特許文献】
【０００５】
【特許文献１】特開２００８−０３６２７８号公報
【特許文献２】特開２００２−２５３５４７号公報
【発明の概要】
【発明が解決しようとする課題】
【０００６】
図１２に示すような従来のＸ線透視撮影装置用フットスイッチ１５においては、医師や補助者等の操作者が３個のスイッチ部４１、４２、４３を選択して踏みつけるときに、異なるスイッチ部を踏んでしまうことが多い。このため、３個のスイッチ部４１、４２、４３の位置を目視により確認して踏むこととすると、Ｘ線透視画像等が表示されたモニター部から目を離すことになるため、手術や検査を効率的に行うことができない。さらに、３個のスイッチ部４１、４２、４３を踏み分けるときには、足を上げて作業を行う必要があり、操作者への負担も大きなものとなる。
【０００７】
この発明は上記課題を解決するためになされたものであり、操作者が足で操作を行うときに、目視による確認を必要とせず、容易に複数の放射線透視撮影動作を選択することが可能な放射線透視撮影装置用フットスイッチを提供することを目的とする。
【課題を解決するための手段】
【０００８】
請求項１に記載の発明は、放射線透視撮影装置を操作するためのフットスイッチであって、操作者が足を載置可能なフットパッド部と、前記フットパッド部の姿勢に対応していずれかが選択されることにより、放射線透視撮影装置に対して互いに異なる複数の放射線透視撮影動作を実行させるための複数のスイッチと、を備えたことを特徴とする。
【０００９】
請求項２に記載の発明は、請求項１に記載の発明において、前記フットパッド部を水平面内において回動可能に支持する回動機構と、前記フットパッド部を鉛直軸に対して傾動可能に支持する傾動機構と、を備え、前記複数のスイッチは、前記回動機構による前記フットパッド部の回動方向と、前記傾動機構による前記フットパッド部の傾動方向とに対応していずれかが選択されることにより、放射線透視撮影装置に対して互いに異なる複数の放射線透視撮影動作を実行させる。
【００１０】
請求項３に記載の発明は、請求項２に記載の発明において、前記回動機構と前記傾動機構とを介して前記フットパッド部を下方より支持するベース部をさらに備え、前記ベース部の上面には、凸部が形成されるとともに、前記複数のスイッチは、前記フットパッド部の下面における前記フットパッド部の回動に伴って前記凸部と対向配置される位置に配設される。
【００１１】
請求項４に記載の発明は、請求項１に記載の発明において、前記フットパッド部を水平面内において回動可能に支持する回動機構を備え、前記複数のスイッチは、前記回動機構による前記フットパッド部の回動方向に対応していずれかが選択されることにより、放射線透視撮影装置に対して互いに異なる複数の放射線透視撮影動作を実行させる。
【発明の効果】
【００１２】
請求項１に記載の発明によれば、操作者がフットパッド部に足を乗せたままで複数のスイッチのうちの一つを選択することにより、放射線透視撮影装置に対して互いに異なる複数の放射線透視撮影動作を実行させることが可能となる。このため、操作者が足で操作を行うときに、目視による確認を必要とせず、容易に複数の放射線透視撮影動作を選択することが可能となる。
【００１３】
請求項２および請求項３に記載の発明によれば、回動機構によるフットパッド部の回動方向と、傾動機構によるフットパッド部の傾動方向とに対応して、複数のスイッチのうちのいずれかが選択されることにより、放射線透視撮影装置に対して互いに異なる複数の放射線透視撮影動作を実行させることが可能となる。
【００１４】
請求項４に記載の発明によれば、回動機構によるフットパッド部の回動方向に対応して、複数のスイッチのうちのいずれかが選択されることにより、放射線透視撮影装置に対して互いに異なる複数の放射線透視撮影動作を実行させることが可能となる。
【図面の簡単な説明】
【００１５】
【図１】この発明に係るＸ線透視撮影装置用フットスイッチ１０を備えたＸ線透視撮影装置の斜視図である。
【図２】この発明の第１実施形態に係るＸ線透視撮影装置用フットスイッチ１０の斜視図である。
【図３】この発明の第１実施形態に係るＸ線透視撮影装置用フットスイッチ１０における各部の配置を示す模式図である。
【図４】図３におけるＡ方向からの側面概要図である。
【図５】図３におけるＢ−Ｂ断面概要図である。
【図６】図３におけるＣ−Ｃ断面概要図である。
【図７】この発明の第１実施形態に係るＸ線透視撮影装置用フットスイッチ１０の使用状態を模式的に示す説明図である。
【図８】この発明の第１実施形態に係るＸ線透視撮影装置用フットスイッチ１０の使用状態を模式的に示す説明図である。
【図９】この発明の第２実施形態に係るＸ線透視撮影装置用フットスイッチ１０における各部の配置を示す模式図である。
【図１０】図９におけるＡ方向からの側面概要図である。
【図１１】図９におけるＤ−Ｄ断面概要図である。
【図１２】従来のＸ線透視撮影装置用フットスイッチ１５の斜視図である。
【発明を実施するための形態】
【００１６】
以下、この発明の実施の形態を図面に基づいて説明する。図１は、この発明に係るＸ線透視撮影装置用フットスイッチ１０を備えたＸ線透視撮影装置の斜視図である。
【００１７】
このＸ線透視撮影装置は、第１のＣ型アーム１４を備えた内側（フロンタル側）の撮影ユニットと、第２のＣ型アーム２４を備えた外側（ラテラル側）の撮影ユニットとの一対の撮影ユニットにより、テーブル１８上の被検者に対してバイプレーン撮影等を可能としたものである。
【００１８】
このＸ線透視撮影装置における内側の撮影ユニットは、Ｘ線管１１と、このＸ線管１１から照射されテーブル１８に横たわった被検者を通過したＸ線を検出するフラットパネルディテクタ１２と、円弧状の案内部１３を有しＸ線管１１とフラットパネルディテクタ１２とを支持する略Ｃ字状の第１のＣ型アーム１４と、この第１のＣ型アーム１４における円弧状の案内部１３と係合することにより第１のＣ型アーム１４をスライド可能に支持するとともに、第１のＣ型アーム１４を、水平方向を向く軸心を中心に回転可能に支持する支持部材１７とを備える。
【００１９】
また、外側の撮影ユニットは、Ｘ線管２１と、このＸ線管２１から照射されテーブル１８に横たわった被検者を通過したＸ線を検出するフラットパネルディテクタ２２と、円弧状の案内部２３を有しＸ線管２１とフラットパネルディテクタ２２とを支持する略Ｃ字状の第２のＣ型アーム２４と、この第２のＣ型アーム２４における円弧状の案内部２３と係合することにより第２のＣ型アーム２４をスライド可能に支持するとともに、第２のＣ型アーム２４を被検者に対して水平移動させる天井に支持された基部２７とを備える。
【００２０】
この第２実施形態に係るＸ線透視撮影装置においては、テーブル１８に付設された操作部１９と、この発明に係るＸ線透視撮影装置用フットスイッチ１０とを使用して、Ｘ線透視及びＸ線撮影が実行される。
【００２１】
図２は、この発明の第１実施形態に係るＸ線透視撮影装置用フットスイッチ１０の斜視図である。図３は、この発明の第１実施形態に係るＸ線透視撮影装置用フットスイッチ１０における各部の配置を示す模式図である。図４は、図３におけるＡ方向からの側面概要図である。図５は、図３におけるＢ−Ｂ断面概要図である。図６は、図３におけるＣ−Ｃ断面概要図である。
【００２２】
この発明に係るＸ線透視撮影装置用フットスイッチ１０は、ベース部５２上に配設され、操作者が足を載置可能なフットパッド部５１を備える。このフットパッド部５１は、連結部５３を介して、ベース部５２と連結されている。
【００２３】
図４および図５に示すように、連結部５３は、ベース部５２の上面に配設された回転部材５４と、フットパッド部５１の下面に配設された支持部材５５と、これらの回転部材５４と支持部材５５とを連結する支軸５６とを備える。回転部材５４は、ベース部５２に対して、鉛直方向を向く軸を中心に回動可能となっている。このため、この回転部材５４がベース部５２に対して回動することにより、フットパッド部５１は、水平面内において回転する。そして、支持部材５５が支軸５６を中心に揺動することにより、フットパッド部５１は鉛直軸に対して傾動する。この連結部５３は、フットパッド部５１を水平面内において回動可能に支持する回動機構、および、フットパッド部５１を鉛直軸に対して傾動可能に支持する傾動機構として機能する。
【００２４】
図３に示すように、フットパッド部５１の回転中心を中心とする円上の位置には、４個のマイクロスイッチ７１、７２、７３、７４が配置されている。これらのマイクロスイッチ７１、７２、７３、７４は、図６に示すように、フットパッド部５１の下面に形成された凹部７５内に配設されている。また、４個のマイクロスイッチ７１、７２、７３、７４が配設されたフットパッド部５１の回転中心を中心とする円上の位置には、一対の凸部６１、６２が配置されている。これらの凸部６１、６２は、図４および図６に示すように、ベース部５２の上面に凸設されている。
【００２５】
上述した４個のマイクロスイッチ７１、７２、７３、７４のうち、マイクロスイッチ７１は、Ｘ線透視撮影装置により、フロンタル側の撮影ユニットを使用したフロンタル側の透視を実行させるためのものである。また、マイクロスイッチ７２は、Ｘ線透視撮影装置により、フロンタル側の撮影ユニットとラテラル側の撮影ユニットとを使用したバイプレーンの透視を実行させるためのものである。また、マイクロスイッチ７３は、Ｘ線透視撮影装置により、ラテラル側の撮影ユニットを使用したラテラル側の透視を実行させるためのものである。さらに、マイクロスイッチ７４は、Ｘ線透視撮影装置により、一定のフレームレートで静止画を撮影してその画像を保存する連続撮影を実行させるためのものである。
【００２６】
図７および図８は、この発明の第１実施形態に係るＸ線透視撮影装置用フットスイッチ１０の使用状態を模式的に示す説明図である。
【００２７】
このＸ線透視撮影装置用フットスイッチ１０を使用するときには、操作者は、フットパッド部５１上に足を載置する。そして、その状態において、図７に示すように、フットパッド部５１を、連結部５３を中心にして時計回り方向に回動させるか、図８に示すように、フットパッド部５１を、連結部５３を中心にして反時計回り方向に回動させる。
【００２８】
図７に示すように、フットパッド部５１を、連結部５３を中心にして時計回り方向に回動させた場合には、マイクロスイッチ７１が凸部６１の上方に配置され、マイクロスイッチ７４が凸部６２の上方に配置される。この状態において、操作者がフットパッド部５１におけるマイクロスイッチ７１、７２側の端部を踏み込んだ場合には、フットパッド部５１が傾動し、マイクロスイッチ７１が凸部６１により押圧される。これにより、Ｘ線透視撮影装置は、フロンタル側の撮影ユニットを使用したフロンタル側の透視を実行する。一方、この状態において、操作者がフットパッド部５１におけるマイクロスイッチ７３、７４側の端部を踏み込んだ場合には、フットパッド部５１が傾動し、マイクロスイッチ７４が凸部６１により押圧される。これにより、Ｘ線透視撮影装置は、一定のフレームレートで静止画を撮影してその画像を保存する連続撮影を実行する。
【００２９】
図８に示すように、フットパッド部５１を、連結部５３を中心にして反時計回り方向に回動させた場合には、マイクロスイッチ７２が凸部６１の上方に配置され、マイクロスイッチ７３が凸部６２の上方に配置される。この状態において、操作者がフットパッド部５１におけるマイクロスイッチ７１、７２側の端部を踏み込んだ場合には、フットパッド部５１が傾動し、マイクロスイッチ７２が凸部６１により押圧される。これにより、Ｘ線透視撮影装置は、フロンタル側の撮影ユニットとラテラル側の撮影ユニットとを使用したバイプレーンの透視を実行する。一方、この状態において、操作者がフットパッド部５１におけるマイクロスイッチ７３、７４側の端部を踏み込んだ場合には、フットパッド部５１が傾動し、マイクロスイッチ７３が凸部６１により押圧される。これにより、Ｘ線透視撮影装置は、ラテラル側の撮影ユニットを使用したラテラル側の透視を実行する。
【００３０】
以上のように、この発明の第１実施形態に係るＸ線透視撮影装置用フットスイッチ１０においては、操作者がフットパッド部５１上に足を載置したままの状態において、フットパッド部５１を回転および傾動させることにより、異なる４種類のＸ線透視撮影動作を実行させることが可能となる。このため、操作者が足で操作を行うときに、目視による確認を必要とせず、容易に４種類のＸ線透視撮影動作を選択することが可能となる。
【００３１】
次に、この発明の他の実施形態について説明する。図９は、この発明の第２実施形態に係るＸ線透視撮影装置用フットスイッチ１０における各部の配置を示す模式図である。図１０は、図９におけるＡ方向からの側面概要図である。図１１は、図９におけるＤ−Ｄ断面概要図である。
【００３２】
上述した第１実施形態に係るＸ線透視撮影装置用フットスイッチ１０においては、フットパッド部５１が水平面内において回動し、かつ、鉛直軸に対して傾動する構成を採用しているのに対して、この第２実施形態に係るＸ線透視撮影装置用フットスイッチ１０においては、フットパッド部５１が回転のみを行う構成となっている。
【００３３】
この第２実施形態に係るＸ線透視撮影装置用フットスイッチ１０においては、フットパッド部５１は、回転部材８３を介して、ベース部５２と連結されている。回転部材８３は、ベース部５２に対して、鉛直方向を向く軸を中心に回動可能となっている。このため、この回転部材５４がベース部５２に対して回動することにより、フットパッド部５１は、水平面内において回転する。図９に示すように、フットパッド部５１の回転中心を中心とする円上の位置には、２個のマイクロスイッチ９１、９２が配置されている。これらのマイクロスイッチ９１、９２は、図１１に示すように、フットパッド部５１の下面に形成された円弧状の凹部９５内に配設されている。また、２個のマイクロスイッチ９１、９２が配設されたフットパッド部５１の回転中心を中心とする円上の位置には、凸部８１が配置されている。この凸部８１は、図１１に示すように、ベース部５２の上面に凸設されている。なお、上述した２個のマイクロスイッチ９１、９２は、Ｘ線透視撮影装置により、互いに異なるＸ線透視撮影動作を実行させるためのものである。
【００３４】
この第２実施形態に係るＸ線透視撮影装置用フットスイッチ１０を使用するときには、操作者は、フットパッド部５１上に足を載置する。そして、その状態において、フットパッド部５１を、回転部材８３を中心にして、時計回り方向あるいは反時計回り方向に回動させる。フットパッド部５１を時計回り方向に回動させたときには、凸部８１とマイクロスイッチ９１が当接し、フットパッド部５１を反時計回り方向に回動させたときには、凸部８１がマイクロスイッチ９２と当接する。これにより、Ｘ線透視撮影装置により、互いに異なるＸ線透視撮影動作を実行させることが可能となる。
【００３５】
なお、上述した実施形態においては、この発明に係るＸ線透視撮影装置用フットスイッチ１０を、一対の撮影ユニットを使用して被検者に対してバイプレーン撮影等を実行するＸ線透視撮影装置に適用した場合について説明したが、この発明に係るＸ線透視撮影装置用フットスイッチ１０を、その他のＸ線透視撮影装置に適用してもよい。
【符号の説明】
【００３６】
１０      Ｘ線透視撮影装置用フットスイッチ
５１      フットパッド部
５２      ベース部
５３      連結部
５４      回転部材
５５      支持部材
５６      支軸
６１      凸部
６２      凸部
７１      マイクロスイッチ
７２      マイクロスイッチ
７３      マイクロスイッチ
７４      マイクロスイッチ
７５      凹部
８１      凸部
８３      回転部材
９１      マイクロスイッチ
９２      マイクロスイッチ
９５      凹部
【図１】
2017029527.tif 000003
【図２】
2017029527.tif 000004
【図３】
2017029527.tif 000005
【図４】
2017029527.tif 000006
【図５】
2017029527.tif 000007
【図６】
2017029527.tif 000008
【図７】
2017029527.tif 000009
【図８】
2017029527.tif 000010
【図９】
2017029527.tif 000011
【図１０】
2017029527.tif 000012
【図１１】
2017029527.tif 000013
【図１２】
2017029527.tif 000014